(57)【要約】【課題】編集処理を格段的に簡易化させ得るようにする。【解決手段】本発明は、結合後に前半部分となるフアイルの最後に記録されたアロケーシヨンエクステント信号の第１のアロケーシヨンエクステントレコードと、後半部分となるフアイルの最初に記録されたアロケーシヨンエクステント信号の第２のアロケーシヨンエクステントレコードを検出し、第１のアロケーシヨンエクステントレコードに格納されているポインタを第２のアロケーシヨンエクステントレコードの位置を示すポインタに変更し、結合後に前半部分となるフアイルのフアイルレコード内の属性情報を、結合後の新たなフアイルの属性情報に書き換え、結合後に後半部分となるフアイルのフアイルレコードを削除する。よつてフアイル化した記録信号を任意の位置で結合するときフアイル管理情報上のみで結合して編集処理を格段的に簡易化させる。【選択図】図２
2007048453.tif 000002
【特許請求の範囲】
【請求項１】
記録媒体に記録されるフアイル管理情報を、複数のフアイルレコードからなるフアイル管理テーブルと、複数のアロケーシヨンエクステントレコードからなるアロケーシヨンエクステントテーブルとから構成して、上記フアイルレコードを記録信号のフアイルの属性情報を格納する属性情報格納部と、上記アロケーシヨンエクステントテーブル内の対応するアロケーシヨンエクステントレコードのポインタを格納するポインタ格納部とから構成すると共に、上記アロケーシヨンエクステントレコードを、上記記録信号から分割された複数のアロケーシヨンエクステント信号の上記記録媒体における記録位置として記録開始セクタのアドレスを示す開始セクタアドレスと、当該記録開始のセクタ内の先頭から実際に上記アロケーシヨンエクステント信号を記録し始める位置までを表す開始バイトオフセツト値と、記録終了セクタのアドレスを示す終了セクタアドレスと、当該記録終了セクタ内の先頭から実際に上記アロケーシヨンエクステント信号の記録が終了する位置までを表す終了バイトオフセツト値とを格納するアドレス情報格納部と、対応する他の上記アロケーシヨンエクステントレコードのポインタを格納するポインタ格納部とから構成し、上記記録媒体の複数のセクタからなる記録領域に記録する複数のアロケーシヨンエクステント信号からなる記録信号をフアイル化して上記フアイル管理情報に基づいて管理するフアイル管理装置であつて、
上記記録媒体に上記記録信号を複数の上記アロケーシヨンエクステント信号に分割して記録するときには、当該記録信号から分割する上記アロケーシヨンエクステント信号毎の上記記録媒体における上記記録位置を上記セクタ内の任意のバイト単位で指定して上記記録信号をフアイル化すると共に、上記記録位置を上記記録媒体に記録されている上記アロケーシヨンエクステントテーブルに格納し、
上記記録信号のフアイルの結合処理時には、結合対象の２つの上記フアイルの各フアイル名に対応する上記フアイル管理テーブル及び上記アロケーシヨンエクステントテーブルに基づいて、結合後に前半部分となる上記フアイルに対応する各上記アロケーシヨンエクステント信号のうち、最後に記録された当該アロケーシヨンエクステント信号に対応する第１のアロケーシヨンエクステントレコードを検出すると共に、上記結合後に後半部分となる上記フアイルに対応する各上記アロケーシヨンエクステント信号のうち、最初に記録された当該アロケーシヨンエクステント信号に対応する第２のアロケーシヨンエクステントレコードを検出して、上記第１のアロケーシヨンエクステントレコードに格納されているポインタを上記第２のアロケーシヨンエクステントレコードの位置を示すポインタに変更し、
上記結合後に前半部分となる上記フアイルに対応する上記フアイルレコードに格納されている上記属性情報を、上記結合後の新たなフアイルに対応する属性情報に書き換えると共に、当該結合後に後半部分となる上記フアイルに対応する上記フアイルレコードを上記フアイル管理テーブルから削除するようにして、上記記録信号のフアイルの結合処理をバイト単位で指定して行う編集処理手段
を具えることを特徴とするフアイル管理装置。
【請求項２】
記録媒体に記録されるフアイル管理情報を、複数のフアイルレコードからなるフアイル管理テーブルと、複数のアロケーシヨンエクステントレコードからなるアロケーシヨンエクステントテーブルとから構成して、上記フアイルレコードを記録信号のフアイルの属性情報を格納する属性情報格納部と、上記アロケーシヨンエクステントテーブル内の対応するアロケーシヨンエクステントレコードのポインタを格納するポインタ格納部とから構成すると共に、上記アロケーシヨンエクステントレコードを、上記記録信号から分割された複数のアロケーシヨンエクステント信号の上記記録媒体における記録位置として記録開始セクタのアドレスを示す開始セクタアドレスと、当該記録開始のセクタ内の先頭から実際に上記アロケーシヨンエクステント信号を記録し始める位置までを表す開始バイトオフセツト値と、記録終了セクタのアドレスを示す終了セクタアドレスと、当該記録終了セクタ内の先頭から実際に上記アロケーシヨンエクステント信号の記録が終了する位置までを表す終了バイトオフセツト値とを格納するアドレス情報格納部と、対応する他の上記アロケーシヨンエクステントレコードのポインタを格納するポインタ格納部とから構成し、上記記録媒体の複数のセクタからなる記録領域に記録する複数のアロケーシヨンエクステント信号からなる記録信号をフアイル化して上記フアイル管理情報に基づいて管理するフアイル管理方法であつて、
上記記録媒体に上記記録信号を複数の上記アロケーシヨンエクステント信号に分割して記録するときには、当該記録信号から分割する上記アロケーシヨンエクステント信号毎の上記記録媒体における上記記録位置を上記セクタ内の任意のバイト単位で指定して上記記録信号をフアイル化すると共に、上記記録位置を上記記録媒体に記録されている上記アロケーシヨンエクステントテーブルに格納し、
上記記録信号のフアイルの結合処理時には、結合対象の２つの上記フアイルの各フアイル名に対応する上記フアイル管理テーブル及び上記アロケーシヨンエクステントテーブルに基づいて、結合後に前半部分となる上記フアイルに対応する各上記アロケーシヨンエクステント信号のうち、最後に記録された当該アロケーシヨンエクステント信号に対応する第１のアロケーシヨンエクステントレコードを検出すると共に、上記結合後に後半部分となる上記フアイルに対応する各上記アロケーシヨンエクステント信号のうち、最初に記録された当該アロケーシヨンエクステント信号に対応する第２のアロケーシヨンエクステントレコードを検出して、上記第１のアロケーシヨンエクステントレコードに格納されているポインタを上記第２のアロケーシヨンエクステントレコードの位置を示すポインタに変更し、
上記結合後に前半部分となる上記フアイルに対応する上記フアイルレコードに格納されている上記属性情報を、上記結合後の新たなフアイルに対応する属性情報に書き換えると共に、当該結合後に後半部分となる上記フアイルに対応する上記フアイルレコードを上記フアイル管理テーブルから削除するようにして、上記記録信号のフアイルの結合処理をバイト単位で指定して行う
ことを特徴とするフアイル管理方法。
【発明の詳細な説明】
【技術分野】
【０００１】
本発明はフアイル管理装置及びフアイル管理方法に関し、例えばビデオデイスクレコーダに適用して好適なものである。
【背景技術】
【０００２】
従来、ビデオデイスクレコーダにおいては、外部から供給される記録対象のビデオ信号及びオーデイオ信号をフアイル化して光デイスクに記録する一方、当該光デイスクからこれに記録したビデオ信号及びオーデイオ信号を必要に応じて再生し得るようになされている。
【０００３】
ところでビデオデイスクレコーダに用いられる光デイスクは、通常、図５に示すように、記録面１Ａに渦巻き状のトラツク２が形成されていると共に、当該トラツクが所定単位の複数のセクタ３に分割されている。
【０００４】
この場合ビデオデイスクレコーダでは、この光デイスクにおいて、フアイル化したビデオ信号及びオーデイオ信号を全て記録し得る連続する複数のセクタ３を確保し得れば、これら連続するセクタ３に亘つてビデオ信号及びオーデイオ信号を記録する。
【０００５】
またこのビデオデイスクレコーダでは、光デイスクにおいて、フアイル化したビデオ信号及びオーデイオ信号を全て記録し得る連続する複数のセクタ３を確保し難い場合には、図６に示すように、当該ビデオ信号及びオーデイオ信号を間隔をあけて位置する信号の記録されていない空きセクタ３Ａに応じた長さに分割し、この分割してなる信号（以下、これをアロケーシヨンエクステント（AE:Allocation Extent）信号と呼ぶ）５Ａ〜５Ｃをそれぞれ対応する空きセクタ３Ａに記録するようになされている。
【０００６】
このためこのビデオデイスクレコーダでは、光デイスクに記録したビデオ信号及びオーデイオ信号をオペレーテイングシステム（OS:Operating System ）の機構の１つであるフアイルシステムによつてフアイルとして管理するようになされている。
【発明の開示】
【発明が解決しようとする課題】
【０００７】
ところでかかる構成のビデオデイスクレコーダにおいては、フアイルシステムが光デイスクにおいてセクタの先頭位置のみ指定することができるように規定されており、このため例えば光デイスクにフアイル化したビデオ信号及びオーデイオ信号や各アロケーシヨンエクステント信号５Ａ〜５Ｃを記録する場合には必ずこれらの先頭位置と、セクタ３の先頭位置とを一致させるようになされていた。
【０００８】
ところがこのようなフアイルシステムの規定のもとでは、例えばフアイル化したビデオ信号及びオーデイオ信号又は各アロケーシヨンエクステント信号５Ａ〜５Ｃを任意の位置で分割又は結合するような場合、分割対象又は結合対象のビデオ信号及びオーデイオ信号又は各アロケーシヨンエクステント信号５Ａ〜５Ｃをあらためて光デイスクに記録しながらその分割して残す部分又は他の信号を結合したい部分を新たにフアイル化する必要があり、この新たなフアイル化による記録領域の確保や、記録しなおすために比較的長い時間が必要となることからこれら分割や結合の編集処理が煩雑になる問題があつた。
【０００９】
またこのビデオデイスクレコーダでは、近年の高密度記録の要望に伴つて光デイスクの各セクタ３の大きさを大きくすることが考えられているものの、上述したようなフアイルシステムの規定では、そのセクタ３にフアイル長の比較的短いビデオ信号及びオーデイオ信号を記録した場合、当該セクタ３内のビデオ信号及びオーデイオ信号が記録されなかつた領域がそのまま残つてしまい、セクタ３を無駄にしてしまう問題があつた。
【００１０】
ところでかかる問題を解決する方法として、このビデオデイスクレコーダに上述したフアイルシステムに変えてオペレーテイングシステムによる他のフアイルシステムや、例えば特開昭63-116232号公報により開示されている階層構造のフアイル管理方法を適用することが考えられるものの、これらフアイルシステム及びフアイル管理方法でも上述したフアイルシステムと同様に規定されているために上述した問題を容易には解決し難い問題があつた。
【００１１】
本発明は以上の点を考慮してなされたもので、編集処理を格段的に簡易化させ得るフアイル管理装置及びフアイル管理方法を実現しようとするものである。
【課題を解決するための手段】
【００１２】
かかる課題を解決するため本発明においては、記録媒体に記録されるフアイル管理情報を、複数のフアイルレコードからなるフアイル管理テーブルと、複数のアロケーシヨンエクステントレコードからなるアロケーシヨンエクステントテーブルとから構成して、フアイルレコードを記録信号のフアイルの属性情報を格納する属性情報格納部と、アロケーシヨンエクステントテーブル内の対応するアロケーシヨンエクステントレコードのポインタを格納するポインタ格納部とから構成すると共に、アロケーシヨンエクステントレコードを、記録信号から分割された複数のアロケーシヨンエクステント信号の記録媒体における記録位置として記録開始セクタのアドレスを示す開始セクタアドレスと、当該記録開始のセクタ内の先頭から実際にアロケーシヨンエクステント信号を記録し始める位置までを表す開始バイトオフセツト値と、記録終了セクタのアドレスを示す終了セクタアドレスと、当該記録終了セクタ内の先頭から実際にアロケーシヨンエクステント信号の記録が終了する位置までを表す終了バイトオフセツト値とを格納するアドレス情報格納部と、対応する他のアロケーシヨンエクステントレコードのポインタを格納するポインタ格納部とから構成し、記録媒体の複数のセクタからなる記録領域に記録する複数のアロケーシヨンエクステント信号からなる記録信号をフアイル化してフアイル管理情報に基づいて管理するようにして、記録媒体に記録信号を複数のアロケーシヨンエクステント信号に分割して記録するときには、当該記録信号から分割するアロケーシヨンエクステント信号毎の記録媒体における記録位置をセクタ内の任意のバイト単位で指定して記録信号をフアイル化すると共に、記録位置を記録媒体に記録されているアロケーシヨンエクステントテーブルに格納し、記録信号のフアイルの結合処理時には、結合対象の２つのフアイルの各フアイル名に対応するフアイル管理テーブル及びアロケーシヨンエクステントテーブルに基づいて、結合後に前半部分となるフアイルに対応する各アロケーシヨンエクステント信号のうち、最後に記録された当該アロケーシヨンエクステント信号に対応する第１のアロケーシヨンエクステントレコードを検出すると共に、結合後に後半部分となるフアイルに対応する各アロケーシヨンエクステント信号のうち、最初に記録された当該アロケーシヨンエクステント信号に対応する第２のアロケーシヨンエクステントレコードを検出して、第１のアロケーシヨンエクステントレコードに格納されているポインタを第２のアロケーシヨンエクステントレコードの位置を示すポインタに変更し、結合後に前半部分となるフアイルに対応するフアイルレコードに格納されている属性情報を、結合後の新たなフアイルに対応する属性情報に書き換えると共に、当該結合後に後半部分となるフアイルに対応するフアイルレコードをフアイル管理テーブルから削除するようにして、記録信号のフアイルの結合処理をバイト単位で指定して行うようにした。
【００１３】
この結果、フアイル化した記録信号を任意の位置で結合するような編集処理でも、当該記録信号の編集対象部分のみをフアイル化するように記録媒体に記録しなおす必要がなく、フアイル管理情報上のみで結合することができる。
【発明の効果】
【００１４】
本発明によれば、記録媒体に記録されるフアイル管理情報を、複数のフアイルレコードからなるフアイル管理テーブルと、複数のアロケーシヨンエクステントレコードからなるアロケーシヨンエクステントテーブルとから構成して、フアイルレコードを記録信号のフアイルの属性情報を格納する属性情報格納部と、アロケーシヨンエクステントテーブル内の対応するアロケーシヨンエクステントレコードのポインタを格納するポインタ格納部とから構成すると共に、アロケーシヨンエクステントレコードを、記録信号から分割された複数のアロケーシヨンエクステント信号の記録媒体における記録位置として記録開始セクタのアドレスを示す開始セクタアドレスと、当該記録開始のセクタ内の先頭から実際にアロケーシヨンエクステント信号を記録し始める位置までを表す開始バイトオフセツト値と、記録終了セクタのアドレスを示す終了セクタアドレスと、当該記録終了セクタ内の先頭から実際にアロケーシヨンエクステント信号の記録が終了する位置までを表す終了バイトオフセツト値とを格納するアドレス情報格納部と、対応する他のアロケーシヨンエクステントレコードのポインタを格納するポインタ格納部とから構成し、記録媒体の複数のセクタからなる記録領域に記録する複数のアロケーシヨンエクステント信号からなる記録信号をフアイル化してフアイル管理情報に基づいて管理するようにして、記録媒体に記録信号を複数のアロケーシヨンエクステント信号に分割して記録するときには、当該記録信号から分割するアロケーシヨンエクステント信号毎の記録媒体における記録位置をセクタ内の任意のバイト単位で指定して記録信号をフアイル化すると共に、記録位置を記録媒体に記録されているアロケーシヨンエクステントテーブルに格納し、記録信号のフアイルの結合処理時には、結合対象の２つのフアイルの各フアイル名に対応するフアイル管理テーブル及びアロケーシヨンエクステントテーブルに基づいて、結合後に前半部分となるフアイルに対応する各アロケーシヨンエクステント信号のうち、最後に記録された当該アロケーシヨンエクステント信号に対応する第１のアロケーシヨンエクステントレコードを検出すると共に、結合後に後半部分となるフアイルに対応する各アロケーシヨンエクステント信号のうち、最初に記録された当該アロケーシヨンエクステント信号に対応する第２のアロケーシヨンエクステントレコードを検出して、第１のアロケーシヨンエクステントレコードに格納されているポインタを第２のアロケーシヨンエクステントレコードの位置を示すポインタに変更し、結合後に前半部分となるフアイルに対応するフアイルレコードに格納されている属性情報を、結合後の新たなフアイルに対応する属性情報に書き換えると共に、当該結合後に後半部分となるフアイルに対応するフアイルレコードをフアイル管理テーブルから削除するようにして、記録信号のフアイルの結合処理をバイト単位で指定して行うようにしたことにより、フアイル化した記録信号を任意の位置で結合するような編集処理でも、当該記録信号の編集対象部分のみをフアイル化するように記録媒体に記録しなおす必要がなく、フアイル管理情報上のみで結合することができ、かくして編集処理を格段的に簡易化させ得るフアイル管理装置及びフアイル管理方法を実現することができる。
【発明を実施するための最良の形態】
【００１５】
以下図面について、本発明の一実施の形態を詳述する。
【００１６】
（１）本実施の形態によるビデオデイスクレコーダの構成
図１において、１０は全体として本発明が適用されたビデオデイスクレコーダを示し、記録モード時、オペレータが例えばパーソナルコンピユータ構成でなる指定入力部１１のキー入力部１１Ａを介して記録開始及び記録対象のビデオ信号Ｓ１及びオーデイオ信号Ｓ２に対するフアイル名等を指定入力すると、システムコントロール部１２がこれを受けてビデオデイスクレコーダ１０全体を制御する。
【００１７】
この状態において、このビデオデイスクレコーダ１０では、外部からビデオ信号Ｓ１が入出力処理部１３の第１のエンコーダ／デコーダ部１４Ａに供給されると共に、オーデイオ信号Ｓ２が第２のエンコーダ／デコーダ部１４Ｂに供給される。
【００１８】
第１又は第２のエンコーダ／デコーダ部１４Ａ又は１４Ｂは、対応するビデオ信号Ｓ１又はオーデイオ信号Ｓ２を所定方式で符号化し、得られるビデオ符号化信号Ｓ３又はオーデイオ符号化信号Ｓ４をそれぞれマルチプレツクス／デマルチプレツクス部１５に送出する。
【００１９】
マルチプレツクス／デマルチプレツクス部１５は、これらビデオ符号化信号Ｓ３及びオーデイオ符号化信号Ｓ４を多重化して一本の多重化信号Ｓ５に変換し、これをドライブ部１６のバツフア回路部１７を介してＥＣＣ（Error Correction Code ）回路部１８に送出する。
【００２０】
ＥＣＣ回路部１８に与えられた多重化信号Ｓ５は、誤り訂正符号が付加された後、変調／復調回路部１９を介して所定方式で変調され、記録信号Ｓ６としてピツクアツプ部２０に供給される。
【００２１】
ピツクアツプ部２０は、フアイル管理部２１の制御のもとに、光デイスク２２の信号の記録されていないセクタ（図示せず）からなる空き領域に記録信号Ｓ６を記録すると共に、当該光デイスク２２の所定領域に記録信号Ｓ６に対応するフアイル名等でなるフアイルを管理するためのフアイル管理情報を記録する。
【００２２】
かくしてこのビデオデイスクレコーダ１０では、ビデオ信号Ｓ１及びオーデイオ信号Ｓ２をフアイル化して光デイスク２２に記録し得るようになされている。
【００２３】
一方、このビデオデイスクレコーダ１０では、再生モード時、オペレータが指定入力部１１のキー入力部１１Ａを介して再生開始及び再生対象のビデオ信号Ｓ１及びオーデイオ信号Ｓ２に対するフアイル名を指定入力すると、システムコントロール部１２がこれを受けてビデオデイスクレコーダ１０全体を制御する。
【００２４】
この状態においてピツクアツプ部２０は、フアイル管理部２１の制御のもとに、光デイスク２２の所定領域に記録されているフアイル管理情報を再生し、当該再生結果に基づいて指定されたフアイル名に対応する記録信号Ｓ６を再生し、これを変調／復調回路部１９に送出する。
【００２５】
変調／復調回路部１９は、この記録信号Ｓ６を所定方式で復調し、これを復調信号Ｓ７としてＥＣＣ回路部１８に送出すると共に、当該ＥＣＣ回路部１８は、復調信号Ｓ７に付加されている誤り訂正符号に基づいて当該復調信号Ｓ７を誤り訂正した後、これを多重化信号Ｓ８としてバツフア回路部１７を介してマルチプレツクス／デマルチプレツクス部１５に送出する。
【００２６】
マルチプレツクス／デマルチプレツクス部１５は、多重化信号Ｓ８からビデオ符号化信号Ｓ９及びオーデイオ符号化信号Ｄ１０を分離し、これらをそれぞれ対応する第１又は第２のエンコーダ／デコーダ部１４Ａ又は１４Ｂに送出する。
【００２７】
そして第１又は第２のエンコーダ／デコーダ部１４Ａ又は１４Ｂは、対応するビデオ符号化信号Ｓ９又はオーデイオ符号化信号Ｓ１０をそれぞれ所定方式で復号し、得られたビデオ信号Ｓ１１又はオーデイオ信号Ｓ１２をそれぞれ外部の図示しないモニタ等に送出する。
【００２８】
因みにこのビデオデイスクレコーダ１０では、信号の記録再生に先立ち、光デイスク２２が装填されると、フアイル管理部２１は、光ピツクアツプ２０を介して光デイスク２０からこれにすでに記録されているフアイル管理情報を再生し、当該再生結果に基づいて光デイスク２２の空き領域を検出すると共に、この検出結果を内部に設けられた半導体メモリ等の記録媒体（図示せず）に書き込む。
【００２９】
これによりこのフアイル管理部２１は、内部の記録媒体に記録した空き領域の情報に基づいて光デイスク２２を管理する。
【００３０】
またこのフアイル管理部２１は、記録モード時、光デイスク２２に記録信号Ｓ６を記録する毎に、その記録信号Ｓ６に対応するフアイル管理情報に基づいて光デイスク２２の空き領域を検出してこれを内部の記録媒体に上書きし、このようにして光デイスク２２の空き領域を常に認識し得るようになされている。
【００３１】
なお指定入力部１１は、記録モード時及び再生モード時、オペレータがキー入力部１１Ａを介してフアイル名等を指定入力すると、これを表示部１１Ｂに表示し、これによりオペレータに指定入力したフアイル名等が正しく指定入力されたかどうかを確認させることができる。
【００３２】
（２）光デイスクのフアイル管理
かかる構成に加えてこのビデオデイスクレコーダ１０では、図２に示すように、光デイスク２２に記録信号Ｓ６が複数のアロケーシヨンエクステント信号Ｓ６Ａ〜Ｓ６Ｃに分割されて記録される場合があるため、光デイスク２２の所定領域に記録されているフアイル管理情報が複数のフアイルレコード２５からなるフアイル管理テーブル２６と、複数のアロケーシヨンエクステントレコード（以下、これをＡＥレコードと呼ぶ）２７からなるアロケーシヨンエクステントテーブル（以下、これをＡＥテーブルと呼ぶ）２８とから構成されている。
【００３３】
このフアイル管理テーブル２６の各フアイルレコード２５には、フアイル名やフアイルの作成日時、フアイルのデータ長等の属性情報を格納する属性情報格納部２５Ａと、ＡＥテーブル２８内の対応するＡＥレコード２７のアドレス情報（以下、これをポインタと呼ぶ）を格納するポインタ格納部２５Ｂとが設けられている。
【００３４】
またＡＥテーブル２８のＡＥレコード２７には、１つのアロケーシヨンエクステント信号Ｓ６Ａ〜、又はＳ６Ｃのアドレス情報等を格納するアドレス情報格納部２７Ａと、当該ＡＥテーブル２８内の対応するＡＥレコード２７Ａのポインタを格納するポインタ格納部２７Ｂとが設けられている。
【００３５】
この場合このビデオデイスクレコーダ１０では、フアイル管理部２１の管理のもとに、光デイスク２２においてフアイルを構成する各アロケーシヨンエクステント信号Ｓ６Ａ〜Ｓ６Ｃをセクタ内の任意のバイト単位の位置から記録し始めることができるようになされている。因みに記録信号Ｓ６を連続して記録する場合でも同様に記録することができる。
【００３６】
このため図２及び図３に示すように、ＡＥレコード２７のアドレス情報格納部２７Ａには、光デイスク２２に１つのアロケーシヨンエクステント信号Ｓ６Ａ〜、又はＳ６Ｃを記録するときに使用する連続する単数又は複数のセクタのうち、その先頭のセクタ３０Ａのアドレス情報（以下、これを開始セクタアドレスと呼ぶ）及び最後尾のセクタ３０Ｂのアドレス情報（以下、これを終了セクタアドレスと呼ぶ）と、この先頭のセクタ３０Ａ内において当該セクタ３０Ａの先頭からその１つのアロケーシヨンエクステント信号Ｓ６Ａ〜、又はＳ６Ｃを実際に記録し始めるバイト位置までを表すオフセツト値（以下、これを開始バイトオフセツト値と呼ぶ）Ｏ１及び最後尾のセクタ３０Ｂ内において当該セクタ３０Ｂの先頭から記録信号Ｓ６の記録が終了するバイト位置までを表すオフセツト値（以下、これを終了バイトオフセツト値と呼ぶ）Ｏ２を格納するようになされている。
【００３７】
因みにアドレス情報格納部２７Ａには、必要に応じて対応する１つのアロケーシヨンエクステント信号Ｓ６Ａ〜、又はＳ６Ｃの属性情報も格納し得るようになされている。
【００３８】
このようにしてこのビデオデイスクレコーダ１０では、記録モード時、フアイル管理部２１が光デイスク２２に記録対象のフアイルに対応する属性情報、ポインタ、開始セクタアドレスＫ１、終了セクタアドレスＫ２、開始バイトオフセツト値Ｏ１及び終了バイトオフセツト値Ｏ２をピツクアツプ部２０に与えることにより、当該ピツクアツプ部２０を介して光デイスク２２のフアイル管理テーブル２６のフアイルレコード２５内に属性情報を格納すると共に、各アロケーシヨンエクステント信号Ｓ６Ａ〜Ｓ６Ｃのうち、最初に記録されるアロケーシヨンエクステント信号Ｓ６Ａに対応する開始セクタアドレスＫ１等を格納すべきＡＥレコード２７の位置を示すポインタを格納する。
【００３９】
そしてこの最初に記録されるアロケーシヨンエクステント信号Ｓ６Ａに対応する開始セクタアドレスＫ１等を格納するＡＥレコード２７には、当該最初のアロケーシヨンエクステント信号Ｓ６Ａの開始セクタアドレスＫ１等と共にこの最初のアロケーシヨンエクステント信号Ｓ６Ａに続いて記録させるアロケーシヨンエクステント信号Ｓ６Ｂに対応する開始セクタアドレスＫ１等を格納すべきＡＥレコード２７の位置を示すポインタを格納し、さらにこのＡＥレコード２７には対応するアロケーシヨンエクステント信号Ｓ６Ｂの開始セクタアドレスＫ１等と共にアロケーシヨンエクステント信号Ｓ６Ｂに続いて記録させるアロケーシヨンエクステント信号Ｓ６Ｃに対応する開始セクタアドレスＫ１等を格納すべきＡＥレコード２７の位置を示すポインタを格納する。
【００４０】
このようにしてこのフアイル管理部２１は、ＡＥテーブル２８の各ＡＥレコード２７に順次各アロケーシヨンエクステント信号Ｓ６Ａ〜Ｓ６Ｃの開始セクタアドレスＫ１等と共に対応するポインタを格納し、各アロケーシヨンエクステント信号Ｓ６Ａ〜Ｓ６Ｃのうち、最後に記録されるアロケーシヨンエクステント信号Ｓ６Ｃに対応するＡＥレコード２７には、この最後に記録されるアロケーシヨンエクステント信号Ｓ６Ｃに対応する開始セクタアドレスＫ１等と共に対応する他の格納すべき開始セクタアドレスＫ１等がないことを表す所定の記号等（以下、これを終了情報と呼ぶ）を格納する。
【００４１】
従つてこのフアイル管理部２１は、記録信号Ｓ６がその記録時に複数のアロケーシヨンエクステント信号Ｓ６Ａ〜Ｓ６Ｃに分割されて光デイスク２２に記録されている場合でも、当該光デイスク２２に記録されているフアイル管理テーブル２６を再生すると共に、この再生結果に基づいてＡＥテーブル２８を再生することにより各ＡＥレコード２７に格納されているポインタに従つてフアイルを構成するこれら各アロケーシヨンエクステント信号Ｓ６Ａ〜Ｓ６Ｃのアドレス情報を順次再生すべき順番に従つて得ることができ、これによりこれら各アロケーシヨンエクステント信号Ｓ６Ａ〜Ｓ６Ｃを正しく再生することができるようになされている。
【００４２】
かくしてこのビデオデイスクレコーダ１０では、記録モード時にフアイル管理部２１が記録信号Ｓ６をその光デイスク２２における記録開始位置及び記録終了位置を光デイスク２２のセクタのバイト単位で指定してフアイル化すると共に、このとき指定した記録開始位置及び記録終了位置を光デイスク２２に記録されているＡＥテーブル２８に格納させることにより当該記録信号Ｓ６をバイト単位でフアイル化して管理し得るようになされている。
【００４３】
またこのビデオデイスクレコーダ１０では、再生モード時に光デイスク２２に記録されているフアイル管理テーブル２６及びＡＥテーブル２８を順次再生することにより当該再生結果に基づいて、再生要求のあつたフアイルの記録信号Ｓ６を光デイスク２２から再生させることができるようになされている。
【００４４】
このようにこのビデオデイスクレコーダ１０では、フアイル管理部２１がフアイル化して記録信号Ｓ６の記録開始位置及び記録終了位置をバイト単位で指定し得ることにより、フアイル化された記録信号Ｓ６の分割処理及び結合処理においてもバイト単位で指定して行うことができるようになされている。
【００４５】
すなわち、まず編集処理モード時にオペレータが指定入力部１１のキー入力部１１Ａを介して分割処理を指定入力すると、フアイル管理部２１は、図４に示す分割処理手順ＲＴ１をステツプＳＰ１において開始して続くステツプＳＰ２に進み、このステツプＳＰ２において、例えば指定入力部１１のキー入力部１１Ａを介してオペレータが分割対象のフアイルのフアイル名を指定すると、当該フアイル名に対応する記録信号Ｓ６を光デイスク２２から再生させる。
【００４６】
これによりビデオデイスクレコーダ１０では、光デイスク２２から再生した記録信号Ｓ６からビデオ信号Ｓ１１及びオーデイオ信号Ｓ１２を得て、これをモニタ及びスピーカに送出することにより、当該モニタにビデオ信号Ｓ１１に基づく映像をタイムコードと共に表示させると共に、スピーカからオーデイオ信号Ｓ１２に基づく音声を出力させる。
【００４７】
この状態において、フアイル管理部２１は、オペレータが指定入力部１１のキー入力部１１Ａを介して分割対象位置に対応するタイムコードを指定入力すると、先に指定入力されたフアイル名と当該タイムコードとに基づいて、光デイスク２２に記録されているフアイル管理テーブル２６及びこれに対応するＡＥテーブル２８のＡＥレコード２７を順次検索し、分割対象のフアイルの分割対象位置を有するアロケーシヨンエクステント信号Ｓ６Ａ〜、又はＳ６Ｃに対応するＡＥレコード２７を探し当てると共に、この探し当てたＡＥレコード２７のアドレス情報格納部２７Ａ内の各種情報から分割対象位置がセクタの先頭から何バイトめであるかを求める。
【００４８】
そしてフアイル管理部２１は、その探し当てたＡＥレコード２７のアドレス情報格納部２７Ａ内の各種情報と、セクタ単位で求めた分割対象位置とに基づいて、分割対象のアロケーシヨンエクステント信号Ｓ６Ａ〜、又はＳ６Ｃの分割位置から後の部分（分割位置を含む）に対応する開始セクタアドレスＫ１（その分割対象位置が位置するセクタ）、開始バイトオフセツト値Ｏ１、終了セクタアドレスＫ２及び終了バイトオフセツト値Ｏ２を求める。
【００４９】
次いでフアイル管理部２１は、ステツプＳＰ３に進んで新たなＡＥレコード２７を作成し、このＡＥレコード２７のアドレス情報格納部２７ＡにステツプＳＰ２において求めた開始セクタアドレスＫ１及び開始バイトオフセツト値Ｏ１を格納する。
【００５０】
続いてフアイル管理部２１は、ステツプＳＰ４に進んで、上述したステツプＳＰ２において探し当てたＡＥレコード２７からこれに格納されている終了セクタアドレスＫ２及び終了バイトオフセツト値Ｏ２を新たなＡＥレコード２７に複写するようにして格納する。また必要に応じてこのＡＥレコード２７の属性情報を複写又は新たに格納する。
【００５１】
次いでフアイル管理部２１は、ステツプＳＰ５に進み、上述したステツプＳＰ２において探し当てたＡＥレコード２７に格納されている終了セクタアドレスＫ２及び終了バイトオフセツト値Ｏ２を分割対象のアロケーシヨンエクステント信号Ｓ６Ａ〜、又はＳ６Ｃの分割対象位置から前の部分に対応する新たな終了セクタアドレスＫ２及び終了バイトオフセツト値Ｏ２に変更すると共に、このＡＥレコード２７のポインタを終了情報に変更する。また必要に応じてこのＡＥレコード２７の属性情報を変更する。
【００５２】
続いてフアイル管理部２１は、ステツプＳＰ６に進んで、分割対象のフアイルに対応するフアイルレコード２５に格納されているフアイル名及びフアイルのデータ長等の属性情報を変換する。
【００５３】
そしてフアイル管理部２１は、続くステツプＳＰ７に進んで新たなＡＥレコード２７に対応させて新たなフアイルレコード２５を作成し、これに分割対象のフアイルのフアイル名及びフアイルのデータ長等の属性情報を格納し、この後ステツプＳＰ８に進んでこの分割処理手順ＲＴ１を終了する。
【００５４】
これによりこの後分割対象のフアイルのフアイル名が指定されたときにこれに応じて新たなフアイルレコード２５及びＡＥレコード２７を順次再生することにより分割対象のフアイルの分割対象位置から後の部分に対応するアロケーシヨンエクステント信号Ｓ６Ａ〜、又はＳ６Ｃを再生させることができる。
【００５５】
一方、編集処理モード時にオペレータが指定入力部１１のキー入力部１１Ａを介して結合処理を指定入力すると、フアイル管理部２１は、図５に示す結合処理手順ＲＴ２をステツプＳＰ１０において開始して続くステツプＳＰ１１に進み、このステツプＳＰ１１において、オペレータが指定入力部１１のキー入力部１１Ａを介して結合対象の２つのフアイル（すなわち、前部分と後部分）のフアイル名を指定することにより、光デイスク２２からこれら各フアイル名に対応するフアイル管理テーブル２６及びＡＥテーブル２８を再生させる。
【００５６】
そしてフアイル管理部２１は、その再生結果に基づいて、結合後に前部分となるフアイルに対応する各アロケーシヨンエクステント信号Ｓ６Ａ〜Ｓ６Ｃのうち、最後に記録されたアロケーシヨンエクステント信号Ｓ６Ｃに対応するＡＥレコード２７を検出する。
【００５７】
次いでフアイル管理部２１は、ステツプＳＰ１２に進んで、結合後に後部分となるフアイルに対応する各アロケーシヨンエクステント信号Ｓ６Ａ〜Ｓ６Ｃのうち、最初に記録されたアロケーシヨンエクステント信号Ｓ６Ａに対応するＡＥレコード２７を検出する。
【００５８】
続いてフアイル管理部２１は、ステツプＳＰ１３に進み、上述したステツプＳＰ１１において検出したＡＥレコード２７に格納されているポインタを、上述したステツプＳＰ１２において検出したＡＥレコード２７の位置を示すポインタに変更する。
【００５９】
次いでフアイル管理部２１は、ステツプＳＰ１４に進み、結合後に前部分となるフアイルに対応するフアイルレコード２５に格納されているフアイル名及びフアイルのデータ長等の属性情報を、結合後に得られる新たなフアイルに対応する属性情報に変更する。
【００６０】
そしてこのフアイル管理部２１は、続くステツプＳＰ１５において、結合後に後部分となるフアイルに対応するフアイルレコード２５をフアイル管理テーブル２６から削除した後、ステツプＳＰ１６に進んでこの結合処理手順ＲＴ２を終了する。
【００６１】
（３）動作及び効果
以上の構成において、このビデオデイスクレコーダ１０では、記録モード時にフアイル管理部２１により記録対象の記録信号Ｓ６の記録開始位置及び記録終了位置をセクタのバイト単位（すなわち開始セクタアドレスＫ１、開始バイトオフセツト値Ｏ１、終了セクタアドレスＫ２及び終了バイトオフセツト値Ｏ２）で指定してフアイル化し、これを光デイスク２２に記録する。
【００６２】
これに加えてこのフアイル管理部２１は、光デイスク２２に記録されているフアイル管理テーブル２６にそのフアイル化した記録信号Ｓ６に対応する属性情報やポインタを格納すると共に、当該光デイスク２２に記録され、当該フアイル管理テーブル２６のポインタによつて指定されるＡＥテーブル２８に記録信号Ｓ６を記録する際に指定した記録開始位置及び記録終了位置をセクタとこのセクタのバイト単位（すなわち開始セクタアドレスＫ１、開始バイトオフセツト値Ｏ１、終了セクタアドレスＫ２及び終了バイトオフセツト値Ｏ２）で指定して格納し、これによりこの記録信号Ｓ６のフアイルを管理する。
【００６３】
またこのビデオデイスクレコーダ１０では、再生モード時にフアイル管理部２１により、光デイスク２２のフアイル再生テーブル２６及びＡＥテーブル２８を順次再生することにより、再生要求のあつたフアイルに対応する記録開始位置及び記録終了位置をセクタのバイト単位（すなわち開始セクタアドレスＫ１、開始バイトオフセツト値Ｏ１、終了セクタアドレスＫ２及び終了バイトオフセツト値Ｏ２）で検出し、当該検出結果に基づいて、光デイスク２２から再生要求のあつたフアイルに対応する記録信号Ｓ６を再生する。
【００６４】
このようにしてこのビデオデイスクレコーダ１０では、フアイル管理部２１が光デイスク２２に対して記録信号Ｓ６を記録開始位置や再生開始位置等を同一のセクタ又は異なるセクタのバイト単位で指定することができる。
【００６５】
従つてこのビデオデイスクレコーダ１０では、従来のビデオデイスクレコーダのシステムフアイル等のように記録信号Ｓ６をその先頭位置とセクタの先頭位置とを必ずしも一致させて光デイスク２２に記録する必要がないため、例えばセクタの大きさを比較的大きくして記録信号Ｓ６を高密度記録するような場合にこのセクタにフアイル長の比較的短い記録信号Ｓ６を記録しても、そのとき記録されずに残つた領域に新たに記録信号Ｓ６を記録することができ、このため記録の際にセクタを有効に使用することができる。かくして記録信号Ｓ６を格段的に高密度記録することができる。
【００６６】
またこのようにフアイル管理部２１がセクタのバイトを指定することができるため、フアイル化した記録信号Ｓ６を任意の位置で分割又は結合する編集処理でも記録信号Ｓ６の任意の位置を指定することができ、かくしてこのような編集処理において分割又は結合のために記録信号Ｓ６を新たにフアイル化して光デイスク２２に記録しなおさなくても、当該光デイスク２２に記録されているフアイル管理テーブル２６及びＡＥテーブル２８の内容を書き換えるだけで編集処理を行うことができる。
【００６７】
以上の構成によれば、フアイル管理部２１により記録信号Ｓ６を記録位置（すなわち記録開始位置及び記録終了位置）をセクタのバイト単位で指定してフアイル化するようにしたことにより、このフアイル化した記録信号Ｓ６を任意の位置で分割又は結合する編集処理でも記録信号Ｓ６の処理対象部分を新たにフアイル化して光デイスク２２に記録しなおさずに当該光デイスク２２に記録されているフアイル管理テーブル２６及びＡＥテーブル２８の内容を書き換えるだけで編集処理を行うことができ、かくして編集処理を格段的に簡易化させることができる。
【００６８】
（４）他の実施の形態
なお上述の実施の形態においては、本発明をビデオデイスクレコーダ１０に適用するようにした場合について述べたが、本発明はこれに限らず、ハードデイスク、光磁気デイスク及び磁気デイスク等のように複数のセクタからなる記録面を有するこの他種々の記録媒体に所望の信号をフアイル化して記録再生する際にフアイル管理する必要があるものであれば、この他種々の記録及び又は再生装置や、この記録及び又は再生装置のフアイル管理装置及びフアイル管理方法に適用することができる。
【００６９】
また上述の実施の形態においては、ＡＥテーブル２８の各ＡＥレコード２７にアロケーシヨンエクステント信号Ｓ６Ａ〜Ｓ６Ｃに対応する開始セクタアドレスＫ１等のアドレス情報等を格納するようにした場合について述べたが、本発明はこれに限らず、光デイスク２２において連続する複数のセクタに亘つて記録信号Ｓ６を連続させて記録させた場合には、フアイルレコード２５のポインタによつて指定される少なくとも１つのＡＥレコード２７にその記録信号Ｓ６に対応する開始セクタアドレスＫ１等のアドレス情報等を格納するようにしても良い。
【００７０】
さらに上述の実施の形態においては、分割処理手順ＲＴ１（図４）において、分割対象のフアイルを分割する際にこのフアイルを構成する各アロケーシヨンエクステント信号Ｓ６Ａ〜Ｓ６Ｃのうち、１つのアロケーシヨンエクステント信号Ｓ６Ａ〜、又はＳ６Ｃを所定位置から分割するようにした場合について述べたが、本発明はこれに限らず、光デイスク２２において連続する複数のセクタに亘つて記録信号Ｓ６を連続させて記録させた場合には、この記録信号Ｓ６を所定位置で分割するようにしても良い。
【００７１】
さらに上述の実施の形態においては、結合処理手順ＲＴ１（図５）において、単に２つのフアイルを結合するようにした場合について述べたが、本発明はこれに限らず、単数又は複数のフアイルを構成する信号の所定部分を結合させるようにしても良い。
【００７２】
さらに上述の実施の形態においては、信号の記録媒体における記録位置をセクタよりも小さい所定単位で指定してフアイル化するフアイル化手段として、フアイル管理部２１を適用するようにした場合について述べたが、本発明はこれに限らず、要は信号の記録媒体における記録位置をセクタよりも小さいバイトやビツト等のような所定単位で指定してフアイル化することができれば、この他の種々のものを適用することができる。
【産業上の利用可能性】
【００７３】
本発明は、ビデオデイスクレコーダ等のフアイル管理装置に利用することができる。
【図面の簡単な説明】
【００７４】
【図１】本発明によるビデオデイスクレコーダの構成の一実施の形態を示すブロツク図である。
【図２】フアイル管理情報の説明に供する略線的概念図である。
【図３】ＡＥレコードのアドレス情報格納部を示す略線的概念図である。
【図４】フアイルの分割処理手順を示すフローチヤートである。
【図５】フアイルの結合処理手順を示すフローチヤートである。
【図６】光デイスクの一般的な構成を示す略線図概念図である。
【図７】光デイスクへの信号の記録の説明に供する略線的概念図である。
【符号の説明】
【００７５】
１０……ビデオデイスクレコーダ、１２……システムコントロール部、２１……フアイル管理部、２２……光デイスク、２５……フアイルレコード、２５Ａ……属性情報格納部、２５Ｂ、２７Ｂ……ポインタ格納部、２６……フアイル管理テーブル、２７……ＡＥレコード、２７Ａ……アドレス情報格納部、２８……ＡＥテーブル、Ｓ１、Ｓ１１……ビデオ信号、Ｓ２、Ｓ１２……オーデイオ信号、Ｓ６……記録信号、Ｓ６Ａ〜Ｓ６Ｃ……アロケーシヨンエクステント信号。
【図１】
2007048453.tif 000003
【図２】
2007048453.tif 000004
【図３】
2007048453.tif 000005
【図４】
2007048453.tif 000006
【図５】
2007048453.tif 000007
【図６】
2007048453.tif 000008
【図７】
2007048453.tif 000009